(57)【特許請求の範囲】
【請求項１】
単品マスタファイルを有する上位機と，単品マスタファイルに記憶されている単品マスタデータを利用して商品登録可能な複数のＰＯＳターミナルとがネットワークを介してデータ通信可能に接続され、上位機が各ＰＯＳターミナルから取得した当日売上点数等を含む当日単品売上情報を累計して当日単品売上ファイルに記憶しつつ一括管理可能に形成された商品販売データ処理システムにおいて、
前記単品マスタファイルに記憶された商品ごとに見切り対象商品判別フラグを記憶可能に形成するとともに、見切り対象商品ごとの見切り売価，見切り時刻，見切り売上点数を含む見切り売変情報を設定記憶可能な見切り売変情報ファイルを設け、
前記上位機が、単品マスタファイルに記憶されている見切り対象商品判別フラグを参照して見切り対象商品を抽出しかつ抽出した商品についての当日売上点数を前記当日単品売上ファイルから読取可能であるとともに見切り売変情報ファイルから当該商品についての見切り売上点数を読取可能に形成され、
読取った当日売上点数と見切り売上点数とを比較して当日売上点数が見切り売上点数以下であると判別した場合に当該見切り売変情報を見切りワークファイルへ出力可能に形成され、
さらに、読取った当日売上点数と見切り売上点数とを比較して当日売上点数が見切り売上点数を超えると判別した場合に、単品売上実績ファイルから当該時間帯と同じ時間帯の複数の時間帯売上点数を読取ってそれらの平均売上点数を算出するとともに当日売上点数が算出された平均売上点数以下であると判別した場合にも当該見切り売変情報を見切りワークファイルへ出力可能に形成されている商品販売データ処理システム。
【請求項２】
前記見切り売変情報ファイルに設定記憶されている前記見切り売変情報が前記見切りワークファイルへ出力されかつ自動実行が選択済みである場合に、前記単品マスタファイルに記憶されている当該商品についての売価を前記見切りワークファイルに記憶されている前記見切り売価に自動変更可能に形成されている請求項１記載の商品販売データ処理システム。
【請求項３】
前記見切り売変情報ファイルに設定記憶されている前記見切り売変情報を前記見切りワークファイルへ出力する際に当該商品についての売価変更催促をオペレータが認識できるように出力可能に形成されている請求項１または２に記載されている商品販売データ処理システム。
【請求項４】
前記見切りワークファイルに記憶されかつ確認済フラグが設定されていない未確認の前記見切り売変情報を表示出力可能であるとともに、確認済入力がなされた場合に当該商品に関する見切り売変情報に確認済フラグを設定可能に形成されている請求項１から請求項３までのいずれか１項に記載されている商品販売データ処理システム。
【請求項５】
前記表示出力された前記見切り売変情報を参照しつつ実行選択を入力可能かつ実行選択入力がされた場合に前記単品マスタファイルに記憶されている当該商品売価を前記見切りワークファイルに記憶されている前記見切り売価に変更可能に形成されている請求項３または請求項４記載の商品販売データ処理システム。
【請求項６】
前記単品マスタファイルに記憶されている商品売価を前記見切りワークファイルに記憶されている前記見切り売価に変更する場合に、電子棚ラベルの表示売価を当該見切り売価に自動変更可能に形成されている請求項２から請求項５までのいずれか１項に記載されている商品販売データ処理システム。
【請求項７】
前記単品マスタファイルに記憶されている商品売価を前記見切りワークファイルに記憶されている前記見切り売価に変更した場合に前記見切りワークファイルに記憶されている当該見切り売変情報を削除可能に形成されている請求項２から請求項６までのいずれか１項に記載されている商品販売データ処理システム。
【発明の詳細な説明】
【０００１】
【発明の属する技術分野】
本発明は、単品マスタファイルを有する上位機と，単品マスタファイルに記憶されている単品マスタデータを利用して商品登録可能な複数のＰＯＳターミナルとがネットワークを介してデータ通信可能に接続され、上位機が各ＰＯＳターミナルから取得した当日売上点数等を含む当日単品売上情報を累計して当日単品売上ファイルに記憶しつつ一括管理可能に形成された商品販売データ処理システムに関する。
【０００２】
【従来の技術】
図１２において、商品販売データ処理システムは、単品マスタファイル３３Ｍを有するストアコントローラ（上位機）３０と，単品マスタファイル３３Ｍに記憶されている単品マスタデータを利用して商品登録可能な複数のＰＯＳターミナル（電子キャッシュレジスタ）１０とがネットワーク１，２を介してデータ通信可能に接続され、上位機（３０）が各ＰＯＳターミナル１０から取得した当日売上点数等を含む当日単品売上情報を累計して当日単品売上ファイル３３ＴＵに記憶しつつ一括管理可能に形成されている。
【０００３】
各ＰＯＳターミナル１０は、図１２の場合は、各ＰＯＳコントローラ（上位機）２０を介してストアコントローラ（上位機）３０に接続されている。したがって、単品マスタファイル３３Ｍの単品マスタデータを各ＰＯＳコントローラ（上位機）２０の単品ファイルに配信して、各ＰＯＳターミナル１０は、当該ＰＯＳコントローラ（上位機）２０の単品ファイルに記憶された単品データを利用して商品登録するように形成される場合があるが、本質は変わらない。
【０００４】
なお、端末４０は、ストアコントローラ（上位機）３０をサーバとするクライアント機（パソコン）である。また、ネットワーク２にはプリンタ２１が接続されている。
【０００５】
ストアコントロ―ラ３０は、各ＰＯＳコントローラ２０つまりは各ＰＯＳターミナル１０から取得（収集）した当日売上点数等を含む当日単品売上情報を累計して当日単品売上ファイル３３ＴＵに記憶する。また売上日ごとの時間帯別売上点数および売上金額を単品売上実績ファイル３３ＵＪに記憶する。
【０００６】
ここに、販売対象商品の中には、残り状況（残数）と営業時間とを比較考量して値引きをして販売するいわゆる見切り商品がある。しかし、見切り商品に限らず各商品売価は、ストアコントローラ（上位機）３０内の単品マスタファイル３３Ｍの単品マスタデータ（売価）を、端末４０を用いて変更しなければならない。
【０００７】
具体的には、端末４０において、一般商品の値引き販売の決断時や見切り商品の売価を見切り販売すべき決断時に売価変更指令を発し、次いでデータ［商品（商品コード）と新売価］を入力（図１３のＳＴ５０でＹＥＳ）して、売価変更ファイル３３ＢＨに設定記憶（更新）する（ＳＴ５１）。これにより、単品マスタファイル３３Ｍの売価を、売価変更ファイル３３ＢＨの新売価に変更する売価変更処理が実行される（ＳＴ５２）。
【０００８】
【発明が解決しようとする課題】
ところで、一般商品の場合は顧客サービスの観点から時間的余裕がありかつ多少の時間的ずれが生じても問題は少ないが、見切り商品の場合は売れ残りとなれば廃棄処分しなければならない商品を対象としているので、その時間的遅延および新売価の必要以上の低金額化は営業損失を招く。一方、早めに新単価に変更しておくことは、遅延の場合よりも被害・損害が大きくなることが多い。
【０００９】
かくして、日々に売り切る商品つまり見切り商品の新価格への変更は、営業利益を確保しつつ残数を最小限乃至絶無化するタイミングと金額とを見極めて決断しなければならない。しかるに、現実的には、売り場担当者が、商品陳列棚を見回って商品の残り状況と閉店までの残り営業時間とから見切りタイミングと値引き後売価を決断するとともに、当該商品コードと商品名と現在売価とをメモしかつ売り場と離れた事務室の端末４０に出向いて入力しなければならない。
【００１０】
しかも、日々に同一作業を繰り返し行わなければならないので、販売業務の中でも極めて能率が悪くかつ難しい作業である。さらに、売り場責任者クラスでないとできない性質の作業であるから、交代要員の確保が難しい。
【００１１】
この点に関して、商品陳列棚にある在庫数を自動的に把握して、売価変更の勧告を行うシステムを試行したが、これとて日々に商品陳列棚を回って確認しつつ初期在庫をキー入力しなければならないので、却って煩雑で実効が低いので普及が停滞しているのが実情である。
【００１２】
したがって、ますますの競業激化の今日的現実から、その作業の容易化および確実化の向上が強く求められている。
【００１３】
本発明の目的は、見切り商品の新売価変更を迅速かつ正確に行える取扱い容易な商品販売データ処理システムを提供することにある。
【００１４】
【課題を解決するための手段】
請求項１の発明は、単品マスタファイルを有する上位機と，単品マスタファイルに記憶されている単品マスタデータを利用して商品登録可能な複数のＰＯＳターミナルとがネットワークを介してデータ通信可能に接続され、上位機が各ＰＯＳターミナルから取得した当日売上点数等を含む当日単品売上情報を累計して当日単品売上ファイルに記憶しつつ一括管理可能に形成された商品販売データ処理システムにおいて、前記単品マスタファイルに記憶された商品ごとに見切り対象商品判別フラグを記憶可能に形成するとともに、見切り対象商品ごとの見切り売価，見切り時刻，見切り売上点数を含む見切り売変情報を設定記憶可能な見切り売変情報ファイルを設け、前記上位機が、単品マスタファイルに記憶されている見切り対象商品判別フラグを参照して見切り対象商品を抽出しかつ抽出した商品についての当日売上点数を前記当日単品売上ファイルから読取可能であるとともに見切り売変情報ファイルから当該商品についての見切り売上点数を読取可能に形成され、読取った当日売上点数と見切り売上点数とを比較して当日売上点数が見切り売上点数以下であると判別した場合に当該見切り売変情報を見切りワークファイルへ出力可能に形成され、さらに、読取った当日売上点数と見切り売上点数とを比較して当日売上点数が見切り売上点数を超えると判別した場合に、単品売上実績ファイルから当該時間帯と同じ時間帯の複数の時間帯売上点数を読取ってそれらの平均売上点数を算出するとともに当日売上点数が算出された平均売上点数以下であると判別した場合にも当該見切り売変情報を見切りワークファイルへ出力可能に形成されている商品販売データ処理システムである。
【００１５】
かかる発明では、単品マスタファイルに、商品ごとに当該各商品が見切り対象商品であると判別するための見切り対象商品判別フラグを設定記憶しておく。また、見切り売変情報ファイルに、見切り対象商品ごとの見切り売価，見切り時刻，見切り売上点数を含む見切り売変情報を設定記憶しておく。
【００１６】
上位機は、例えば見切り売変情報ファイルに設定記憶された見切り時刻に近い時間帯内の一定時間ごとに、単品マスタファイルに記憶されている見切り対象商品判別フラグを参照して見切り対象商品を抽出する。見切り価変情報ファイルに見切り対象商品でない商品がミス設定された当該他の商品を排除するためである。
【００１７】
抽出した商品についての当日売上点数を当日単品売上ファイルから読取りかつ見切り売変情報ファイルから当該商品についての見切り売上点数を読取るとともに、読取った当日売上点数と見切り売上点数とを比較して、当日売上点数が見切り売上点数以下であるかを判別する。
【００１８】
そして、当日売上点数が見切り売上点数以下であると判別した場合に、当該見切り売変情報を見切りワークファイルへ出力する。すなわち、当日の当該時までの売上点数が、この点数が残っている場合には売れ残りが発生するだろうと推定して設定記憶された見切り売上点数以下である場合つまり当日の売上が予想よりも少ない場合に、当該見切り売変情報（見切り売価）を見切りワークファイルへ出力して、確認後の手動または自動により単品マスタファイルの現在売価を見切り売価に変更できる準備をする。見切り売価への売価変更に切換える際に、その実行要求をするだけでよくなる。
【００１９】
したがって、売り場担当者が商品陳列棚を見回って商品の残り状況と閉店までの残り営業時間とから見切り販売の時刻および売価を決断し、当該商品コードと商品名と現在売価とをメモしかつ売り場と離れた事務室の端末に出向いて入力しなければならない煩雑で急速な従来業務を一掃化できる。すなわち、見切り商品の新売価変更を迅速かつ正確に行え、取扱いも非常に容易である。
【００２０】
また、上位機は、読取った当日売上点数と見切り売上点数とを比較して当日売上点数が見切り売上点数を超えると判別した場合に、単品売上実績ファイルから当該時間帯と同じ時間帯の複数の時間帯売上点数を読取ってそれらの平均売上点数を算出するとともに、当日売上点数が算出された平均売上点数以下であるか否かを判別する。そして、当日売上点数が算出された平均売上点数以下であると判別した場合にも、当該見切り売変情報を見切りワークファイルへ出力する。
【００２１】
つまり、当日売上点数が見切り売上点数を超える場合は予想よりも多く売れていることになるので、原則的には見切り売変情報ファイルに設定記憶した見切り時刻で見切り販売しなくてもよい。しかし、完売が確約されたわけではない。そこで、当該時間帯の販売実績履歴に照らし、当日売上点数が算出された平均売上点数以下である場合にも、見切り売変情報（見切り売価）を見切りワークファイルへ出力して見切り販売可能とする。売れ残りがでる虞があるからである。
【００２２】
なお、当日売上点数が算出された平均売上点数を超える場合は、収益向上のチャンスなので、見切り売変情報（見切り売価）を見切りワークファイルへ出力しない。
【００２３】
したがって、完売できる確率を向上できるから、収益を拡大できあるいは売れ残りを大幅に減らすことができる。
【００２４】
また、請求項２の発明は、前記見切り売変情報ファイルに設定記憶されている前記見切り売変情報が前記見切りワークファイルへ出力されかつ自動実行が選択済みである場合に、前記単品マスタファイルに記憶されている当該商品についての売価を前記見切りワークファイルに記憶されている前記見切り売価に自動変更可能に形成された商品販売データ処理システムである。
【００２５】
かかる発明では、上位機は、見切り売変情報ファイルに設定記憶されている見切り売変情報が見切りワークファイルへ出力されかつ自動実行が選択済みである場合に、単品マスタファイルに記憶されている当該商品についての売価を、見切りワークファイルに記憶されている見切り売価に自動変更する。
【００２６】
つまり、自動実行を選択しておけば、見切り売変情報中の見切り時刻乃至それ以降になると、単品マスタファイルに記憶されている当該商品売価を見切りワークファイルの見切り売価に自動変更する見切り販売が自動的に実行される。
【００２７】
したがって、請求項１の発明の場合と同様な作用効果を奏することができることに加え、さらに担当者の作業負担を大幅に軽減でき、見切り販売のタイミングを見逃すことがない。
【００２８】
また、請求項３の発明は、前記見切り売変情報ファイルに設定記憶されている前記見切り売変情報を前記見切りワークファイルへ出力する際に当該商品についての売価変更催促をオペレータが認識できるように出力可能に形成された商品販売データ処理システムである。
【００２９】
かかる発明では、上位機は、見切り売変情報ファイルに設定記憶されている見切り売変情報を見切りワークファイルへ出力する際に、当該商品についての売価変更催促をオペレータが認識できるように出力（例えば、表示出力，音声出力，印刷出力）する。つまり、当日の売れ行きから見切り商品を見切り売価に変更すべきとする旨の注意喚起をする。
【００３０】
したがって、請求項１または２の発明の場合と同様な作用効果を奏することができることに加え、さらに担当者に見切り販売の決断チャンスを与えることができるから、担当者は当日かつ当該時刻の売り場の客入り状態等の実際を最終確認しつつ慎重な決断ができる。
【００３１】
また、請求項４の発明は、前記見切りワークファイルに記憶されかつ確認済フラグが設定されていない未確認の前記見切り売変情報を表示出力可能であるとともに、確認済入力がなされた場合に当該商品に関する見切り売変情報に確認済フラグを設定可能に形成された商品販売データ処理システムである。
【００３２】
かかる発明では、上位機は、見切りワークファイルに記憶されかつ未確認である見切り売変情報を表示出力する。これを見た担当者は、見切り販売に踏み切る状況を確認してから、確認済の旨の入力をする。すると、当該見切り売変情報に未確認済フラグが設定される。つまり、最新の見切り販売に踏み切る状況を確認することができる。
【００３３】
したがって、請求項１から請求項３までのいずれかの発明の場合と同様な作用効果を奏することができることに加え、さらに以降において重複表示されることがないので見誤りを回避できかつ取扱いが一層容易になる。
【００３４】
さらに、請求項５の発明は、前記表示出力された前記見切り売変情報を参照しつつ実行選択を入力可能かつ実行選択入力がされた場合に前記単品マスタファイルに記憶されている当該商品売価を前記見切りワークファイルに記憶されている前記見切り売価に変更可能に形成された商品販売データ処理システムである。
【００３５】
かかる発明では、担当者は、表示出力された見切り売変情報を参照しつつ実行選択を入力することができる。上位機は、実行選択入力がされた場合に、単品マスタファイルに記憶されている当該商品についての売価を、見切りワークファイルに記憶されている見切り売価に変更する。つまり、表示で再確認をした上で、見切り販売を実行することができる。
【００３６】
したがって、請求項３または請求項４の各発明の場合と同様な作用効果を奏することができることに加え、さらに最終決断に担当者の意思決定を反映できるから、一段と慎重な運用ができる。
【００３７】
さらに、請求項６の発明は、前記単品マスタファイルに記憶されている商品売価を前記見切りワークファイルに記憶されている前記見切り売価に変更する場合に、電子棚ラベルの表示売価を当該見切り売価に自動変更可能に形成された商品販売データ処理システムである。
【００３８】
かかる発明では、上位機は、単品マスタファイルに記憶されている当該商品売価を見切りワークファイルに記憶されている見切り売価と同じ売価に変更する場合に、電子棚ラベルに表示されている売価を見切り売価に自動変更する。つまり、商品陳列棚に陳列された見切り商品の価格を、見切り販売に踏み切ると同時的に当該新売価に切換えることができる。
【００３９】
したがって、請求項２から請求項５までのいずれかの発明の場合と同様な作用効果を奏することができることに加え、さらに売り場を含む全体の見切り販売体制を確立できるとともに、見切り売価による商品の早期提供や価格誤認の回避等に関する顧客サービスを一段と向上できる。
【００４０】
さらにまた、請求項７の発明は、前記単品マスタファイルに記憶されている商品売価を前記見切りワークファイルに記憶されている前記見切り売価に変更した場合に前記見切りワークファイルに記憶されている当該見切り売変情報を削除可能に形成された商品販売データ処理システムである。
【００４１】
かかる発明では、上位機は、単品マスタファイルに記憶されている当該商品売価を見切りワークファイルに記憶されている見切り売価に変更した場合に、見切りワークファイルに記憶されている当該見切り売変情報を削除する。
【００４２】
したがって、請求項２から請求項６までのいずれかの発明の場合と同様な作用効果を奏することができることに加え、さらに同一見切り商品についての同一見切り売価への重複変更を回避でき、かつ見切りワークファイルの小容量化を図れる。
【００４３】
【発明の実施の形態】
以下、本発明の実施形態について図面を参照して説明する。本商品販売データ処理システム（１０，２０，３０）は、基本的構成・機能が従来例の場合（図１２，図１３）と同様とされているが、さらに図１〜図１１に示す如く、上位機（３０）が単品マスタファイル３３Ｍに記憶されている見切り対象商品判別フラグを参照して見切り対象商品であると判別した商品についての当日売上点数Ｎｉを当日単品売上ファイル３３ＴＵから読取可能で、見切り対象商品ごとの見切り売変情報（見切り売価，見切り時刻，見切り売上点数を含む。）が設定記憶されている見切り売変情報ファイル３３ＭＫから当該商品の見切り売上点数Ｎｍを読取可能に形成され、当日売上点数Ｎｉが見切り売上点数Ｎｍ以下であると判別した場合に当該見切り売変情報を見切りワークファイル３３ＭＷへ出力可能に形成されている。
【００４４】
なお、従来例の場合（図１２）と共通する部分には同一の符号を付して、それらの説明については簡略化または省略する。
【００４５】
図１において、コンピュータからなるストアコントローラ（上位機）３０は、制御部（ＣＰＵ，ＲＯＭ，ＲＡＭ等）とメモリ部（ＨＤＤ等）を有し、店舗全体を一括管理する。端末４０は、制御部，メモリ部および入出力装置（キーボード，表示器等を有するパソコンから形成され、スロアコントローラ２０をサーバとした場合のクライアント機を形成する。電子棚ラベル５０は、商品陳列棚に設けられ、単品マスタファイル３３Ｍの売価を表示（図８のＳＴ１５）する。
【００４６】
ストアコントローラ（上位機）３０のメモリ部には、図１に示す如く、単品マスタファイル３３Ｍ，当日単品売上ファイル３３ＴＵ，単品売上実績ファイル３３ＵＪおよび売価変更ファイル３３ＢＨの他に、見切り売変情報ファイル３３ＭＫおよび自動見切りワークファイル３３ＭＷが設けられている。
【００４７】
単品マスタファイル３３Ｍは、図２に示す如く、商品コード（ＰＬＵコード），カテゴリー，商品の名称および売価の他に、見切り対象商品フラグが設定記憶可能に形成されている。各ＰＯＳターミナル１０での商品登録は、この単品マスタファイル３３Ｍに設定記憶された売価に準拠して実行される。
【００４８】
当日単品売上ファイル３３ＴＵには、図３に示す如く、商品コード（ＰＬＵコード）と，各ＰＯＳターミナル１０（２０）から取得した当日の売上点数Ｎｉおよび売上金額とが記憶される。
【００４９】
売価変更ファイル３３ＢＨには、図４に示す如く、商品コード（ＰＬＵコード）と新売価とが記憶される。新売価は、端末４０においてデータ入力（図８のＳＴ１０でＹＥＳ）することにより、更新（ＳＴ１３）される。そして、必要によって売価変更要求をした場合に、単品マスタファイル３３Ｍの売価を新売価に書換える売価変更処理（ＳＴ１４）が実行される。
【００５０】
この実施形態では、単品マスタファイル３３Ｍの売価を新売価に書換える売価変更処理（ＳＴ１４）が実行されると、電子棚ラベル５０の表示売価を新売価に表示切換え（ＳＴ１５）することができる。データ上と売り場との整合性を瞬時的にとれる。
【００５１】
単品売上実績ファイル３３ＵＪには、図５に示す如く、売上日付，売上げ時間帯，商品コード（ＰＬＵコード），売上点数および売上金額が記憶される。例えば１週間内の各商品についての時間帯別売上実績を保存する。
【００５２】
ここに、見切り売変情報ファイル３３ＭＫは、図６に示す如く、見切り売変情報つまり見切り対象商品（ＰＬＵコード）ごとの見切り売価Ｐｍ，見切り時刻Ｔｍおよび見切り売上点数Ｎｍを設定記憶可能で、端末４０を用いて更新される（図８のＳＴ１０でＹＥＳ，ＳＴ１１でＹＥＳ，ＳＴ１２）。
【００５３】
すなわち、経験則を踏まえて売れ残りが生じないであろうとする観点から決定した見切り売価Ｐｍ，見切り時刻Ｔｍおよび見切り売上点数Ｎｍを、設定しておくためのファイルである。
【００５４】
自動見切りワークファイル３３ＭＷは、図７に示す如く、見切り売変情報つまり商品コード（ＰＬＵコード）および見切り売価Ｐｍを記憶可能である。なお、この実施形態では、見切り売変情報として商品コード（ＰＬＵコード）および見切り売価Ｐｍと図示したが、見切り時刻Ｔｍを加えておいてもよい。
【００５５】
すなわち、見切り売変情報ファイル３３ＭＫに記憶されている見切り売変情報に則る見切り販売を実行するためのは、この自動見切りワークファイル３３ＭＷに設定（セット）しなければならない。また、確認フラグ（０：未確認，１：確認済み）をセット（設定）することができる。
【００５６】
ここに、上位機（３０）は、例えば見切り売変情報ファイル３３ＭＫに設定記憶された見切り時刻Ｔｍに近い時間帯内の一定時間（例えば、１０分や５分）ごとに、図２の単品マスタファイル３３Ｍに記憶されている見切り対象商品判別フラグを参照して見切り対象商品を抽出（図１０のＳＴ３０）する。見切り価変情報ファイル３３ＭＫに見切り対象商品でない商品がミス設定された場合に、当該他の商品を排除することができる。
【００５７】
引続き、当日見切り売変情報ファイル３３ＭＫを検索して抽出した商品についてのデータ（見切り売変情報）が有る（設定記憶されている）か否かを判別（ＳＴ３１）する。
【００５８】
当該商品についての見切り売変情報が設定記憶されている場合（ＳＴ３１のＹＥＳ）は、図３の当日単品売上ファイル３３ＴＵから当日売上点数Ｎｉを取得する（ＳＴ３２）。この際、図２の単品マスタファイル３３Ｍから売価Ｐｉも取得しておく。さらに、現在時刻Ｔｉを取得しておく。
【００５９】
その後に、見切り売変情報ファイル３３ＭＫを検索して、見切り時刻Ｔｍが過ぎておりかつ見切り売価Ｐｍが現在売価Ｐｉ以下の条件を満たす見切り売変情報（ＰＬＵコード，見切り売価Ｐｍ，見切り売上点数Ｎｍ）を取得する（ＳＴ３３）。
【００６０】
そして、読取った当日売上点数Ｎｉと見切り売上点数Ｎｍとを比較して、当日売上点数Ｎｉが見切り売上点数Ｎｍ以下であるかを判別する（ＳＴ３４）。当日売上点数Ｎｉが見切り売上点数Ｎｍ以下であると判別した場合（ＳＴ３４のＮＯ）に、当該見切り売変情報を図７の見切りワークファイル３３ＭＷへ出力する（ＳＴ３８）。
【００６１】
なお、ＳＴ３８では、出力する見切り売変情報を“見切り売価Ｐｍ等”と表記してあるが、ＰＬＵコードをも含む。また、図７では、ＰＬＵコードと見切り売価Ｐｍとしているが、自動選択による実行を優先する場合には、見切り時刻Ｔｍも出力可能に形成しておくのが好ましい。
【００６２】
すなわち、当日の当該時までの売上点数Ｎｉが、この点数Ｎｉが残っている場合には閉店時に売れ残りが発生するだろうと推定して設定記憶しておいた見切り売上点数Ｎｍ以下である場合、つまり当日の売上点数Ｎｉが予想よりも少ない場合に、当該見切り売変情報（見切り売価Ｐｍ）を見切りワークファイル３３ＭＫへ出力して、確認後の手動または自動により売価Ｐｉを見切り売価Ｐｍに変更できる準備をする。見切り売価Ｐｍへの売価変更に切換える際に、その実行要求をするだけでよくなる。
【００６３】
また、当日売上点数Ｎｉが見切り売上点数Ｎｍを超えると判別した場合（ＳＴ３４のＹＥＳ）に、図５の単品売上実績ファイル３３ＵＪから当該時間帯（例えば、１９：００〜１９：５９）と同じ時間帯の各日にわたる複数の時間帯売上点数Ｎｔを取得（読取り）して（ＳＴ３５）、それらの平均売上点数Ｎｈを算出（ＳＴ３６）する。
【００６４】
そして、当日売上点数Ｎｉが算出された平均売上点数Ｎｈ以下であるか否かを判別（ＳＴ３７）し、当日売上点数Ｎｉが算出平均売上点数Ｎｈ以下であると判別した場合（ＳＴ３７のＹＥＳ）にも、当該見切り売変情報を見切りワークファイル３３ＭＷへ出力（ＳＴ３８）する。
【００６５】
つまり、当日売上点数Ｎｉが見切り売上点数Ｎｍを超える場合（ＳＴ３４のＹＥＳ）は予想よりも多く売れていることになるので、原則的には見切り売変情報ファイル３３ＭＫに設定記憶した見切り時刻Ｔｍで見切り販売しなくてもよい。しかし、完売が確約されたわけではない。そこで、当該時間帯の販売実績履歴に照らし、当日売上点数Ｎｉが算出平均売上点数Ｎｈ以下である場合にも、見切り売変情報（見切り売価）を見切りワークファイル３３ＭＷへ出力して見切り販売可能とする。
【００６６】
したがって、この段階でも、売り場担当者が商品陳列棚を見回って商品の残り状況と閉店までの残り営業時間とから見切り販売の売価Ｐｍを決断し、当該商品コードと商品名と現在売価Ｐｉとをメモしかつ売り場と離れた事務室の端末４０に出向いて入力しなければならない煩雑で急速な従来業務を一掃化できる。すなわち、見切り商品の新売価変更を迅速かつ正確に行え、取扱いも非常に容易である。さらに完売できる確率を向上できるから収益を拡大できあるいは売れ残りを大幅に減らすことができる。
【００６７】
なお、当日売上点数ＮＩが算出平均売上点数Ｎｈを超える場合（ＳＴ３７のＮＯ）は、収益向上のチャンスなので、見切り売変情報（見切り売価）を見切りワークファイル３３ＭＷへ出力しない。
【００６８】
さらに、この実施形態では、運用上の実際と取扱い便宜のために、上位機（３０）は、見切り売変情報ファイル３３ＭＫに設定記憶されている見切り売変情報を見切りワークファイル３３ＭＷへ出力する際に、当該商品についての売価変更催促をオペレータが認識できるように出力する。この実施形態では端末４０の表示器に表示出力（ＳＴ３９）する。なお、音声出力，印刷出力でもよい。
【００６９】
つまり、当日の売れ行きから見切り商品を見切り売価Ｐｍに変更すべきとする旨の注意喚起をする。したがって、担当者に見切り販売の決断チャンスを与えることができるから、担当者は当日かつ当該時刻の売り場の客入り状態等の実際を最終確認しつつ慎重な決断ができる。
【００７０】
一方、自動実行が選択済みである場合（図１１のＳＴ４０でＹＥＳ）は、単品マスタファイル３３Ｍに記憶されている商品売価Ｐｉを、見切りワークファイル３３ＭＷに記憶されている見切り売価Ｐｍに自動変更する。詳しくは、見切りワークファイル３３ＭＷに記憶されている見切り売変情報（見切り売価Ｐｍ）を、図４の売価変更ファイル３３ＢＨの新売価（Ｐｍ）として書換える（ＳＴ４２）。かくして、単品マスタファイル３３Ｍに記憶されている商品売価Ｐｉを売価変更ファイル３３ＢＨの新売価（Ｐｍ）として書換える売価変更処理が実行される（ＳＴ４３）。
【００７１】
つまり、予め自動実行を選択しておけば、見切り売変情報中の見切り時刻Ｔｍ（または、見切り時刻Ｔｍの経過後）になると、単品マスタファイル３３Ｍの商品売価Ｐｉを見切り売価Ｐｍに自動変更する見切り販売を自動的に実行することができるから、担当者の作業負担を大幅に軽減でき、見切り販売のタイミングを見逃すことがない。
【００７２】
このように、単品マスタファイル３３Ｍに記憶されている商品売価Ｐｉを見切り売価Ｐｍに変更した場合には、見切りワークファイル３３ＭＷに記憶されている当該見切り売変情報を削除する（ＳＴ４４）。したがって、同一見切り商品についての同一見切り売価への重複変更を回避でき、かつ見切りワークファイル３３ＭＷの小容量化を図れる。
【００７３】
さらに、端末４０で上位機（３０）に表示要求をすれば（図９）、見切りワークファイル３３ＭＷに記憶されかつ未確認である見切り売変情報（データ）を何時でも端末４０側の表示器に表示出力（図９のＳＴ２０，ＳＴ２１のＹＥＳ，ＳＴ２２）することができる。メッセージやアラームも選択的に行える（ＳＴ２２）。
【００７４】
これを見た担当者は、見切り販売に踏み切る状況を確認し、確認後に確認済の入力（ＳＴ２３のＹＥＳ）をすると、当該商品に関する見切り売変情報に確認済フラグ（“１”）が設定（セット）される（ＳＴ２４）。つまり、最新の見切り販売に踏み切る状況を確認することができるとともに、以降において重複表示がないので見誤りを回避できかつ取扱いが一層容易になる。
【００７５】
ここで、担当者は、表示器に表示出力された見切り売変情報を参照しつつ端末４０で実行選択を入力（ＳＴ２５のＹＥＳ）することができる。上位機（３０）は、この実行選択入力がなされた場合に、単品マスタファイル３３Ｍに記憶されている当該商品売価Ｐｉを見切りワークファイル３３ＭＷに記憶されている見切り売価Ｐｍに自動変更する。
【００７６】
詳しくは、見切りワークファイル３３ＭＷに記憶されている見切り売変情報（見切り売価Ｐｍ）を、図４の売価変更ファイル３３ＢＨの新売価（Ｐｍ）として書換える（ＳＴ２７）。かくして、単品マスタファイル３３Ｍに記憶されている当該商品売価Ｐｉを売価変更ファイル３３ＢＨの新売価（Ｐｍ）として書換える売価変更処理が実行される（ＳＴ２８）。
【００７７】
つまり、表示で再確認をした上で、手動的に見切り販売に切換え実行することができる。したがって、最終決断に担当者の意思決定を反映できるから、一段と慎重な運用ができる。
【００７８】
この場合にも、図１１のＳＴ４４の場合と同様に、単品マスタファイル３３Ｍに記憶されている当該商品売価Ｐｉを見切り売価Ｐｍに変更されたので、見切りワークファイル３３ＭＷに記憶されている当該見切り売変情報を削除する（ＳＴ２９）。したがって、同一見切り商品についての同一見切り売価への重複変更を回避でき、かつ見切りワークファイル３３ＭＷの小容量化を図れる。
【００７９】
さらに、単品マスタファイル３３Ｍに記憶されている商品売価Ｐｉを見切りワークファイル３３ＭＷに記憶されている見切り売価ＰＭに変更する場合（図１１のＳＴ４３，図９のＳＴ２８）には、図８のＳＴ１５の場合と同様に、電子棚ラベル５０に表示されている売価を見切り売価Ｐｍと同じ売価に自動変更する（図１１のＳＴ４１，図９のＳＴ２６）。
【００８０】
つまり、商品陳列棚に陳列された見切り商品の売価を見切り販売に踏み切ると同時的に当該新売価に切換えることができる。したがって、売り場を含む全体の見切り販売体制を確立できるとともに、見切り売価Ｐｍによる商品の早期提供や価格誤認の回避等に関する顧客サービスを一段と向上できる。
【００８１】
【発明の効果】
請求項１の発明によれば、見切り対象商品ごとの見切り売価，見切り時刻，見切り売上点数を含む見切り売変情報を設定記憶可能な見切り売変情報ファイルを設け、見切り対象商品判別フラグを参照して抽出した見切り対象商品の当日売上点数と見切り売上点数とを比較して、当日売上点数が見切り売上点数以下であると判別した場合に当該見切り売変情報を見切りワークファイルへ出力可能に形成された商品販売データ処理システムであるので、売り場担当者が商品陳列棚を見回って商品の残り状況と閉店までの残り営業時間とから見切り販売の売価を決断し、当該商品コードと商品名と現在売価とをメモしかつ売り場と離れた事務室の端末に出向いて入力しなければならない煩雑で急速な従来業務を一掃化できる。すなわち、見切り商品の新売価変更を迅速かつ正確に行え、取扱いも非常に容易である。
【００８２】
また、当日売上点数が見切り売上点数を超えると判別した場合に、単品売上実績ファイルから当該時間帯と同じ時間帯の複数の時間帯売上点数を読取って平均売上点数を算出しかつ当日売上点数が算出平均売上点数以下であると判別した場合にも当該見切り売変情報を見切りワークファイルへ出力可能に形成されているので、請求項１の発明の場合と同様な効果を奏することができることに加え、さらに完売できる確率を向上できるから収益を拡大できあるいは売れ残りを大幅に減らすことができる。
【００８３】
また、請求項２の発明によれば、見切り売変情報ファイルに設定記憶されている見切り売変情報が見切りワークファイルへ出力されかつ自動実行が選択済みである場合に、単品マスタファイルの売価を見切りワークファイルの見切り売価に自動変更可能に形成されているので、請求項１の発明の場合と同様な効果を奏することができることに加え、さらに担当者の作業負担を大幅に軽減でき、見切り販売のタイミングを見逃すことがない。
【００８４】
また、請求項３の発明によれば、見切り売変情報ファイルの見切り売変情報を見切りワークファイルへ出力する際に当該商品についての売価変更催促をオペレータが認識できるように出力可能に形成されているので、請求項１または２の発明の場合と同様な効果を奏することができることに加え、さらに担当者に見切り販売の決断チャンスを与えることができるから、担当者は当日かつ当該時刻の売り場の客入り状態等の実際を最終確認しつつ慎重な決断ができる。
【００８５】
また、請求項４の発明によれば、見切りワークファイルの確認済フラグが設定されていない未確認の見切り売変情報を表示出力可能かつ確認済入力がされた場合に当該見切り売変情報に確認済フラグを設定可能に形成されているので、請求項１から請求項３までのいずれかの発明の場合と同様な効果を奏することができることに加え、さらに以降において重複表示されることがないので見誤りを回避できかつ取扱いが一層容易になる。
【００８６】
さらに、請求項５の発明によれば、表示出力された見切り売変情報を参照しつつ実行選択を入力可能かつ実行選択入力がされた場合に単品マスタファイルの当該商品売価を見切りワークファイルの見切り売価に変更可能に形成されているので、請求項４および請求項５の各発明の場合と同様な効果を奏することができることに加え、さらに最終決断に担当者の意思決定を反映できるから、一段と慎重な運用ができる。
【００８７】
さらに、請求項６の発明によれば、単品マスタファイルの商品売価を見切りワークファイルの見切り売価に変更する場合に、電子棚ラベルの表示売価を当該見切り売価に自動変更可能に形成されているので、請求項２から請求項５までのいずれかの発明の場合と同様な効果を奏することができることに加え、さらに売り場を含む全体の見切り販売体制を確立できるとともに、見切り売価による商品の早期提供や価格誤認の回避等に関する顧客サービスを一段と向上できる。
【００８８】
さらにまた、請求項７の発明によれば、単品マスタファイルの商品売価を見切りワークファイルの見切り売価に変更した場合に見切りワークファイルに記憶されている当該見切り売変情報を削除可能に形成されているので、請求項２から請求項６までのいずれかの発明の場合と同様な効果を奏することができることに加え、さらに同一見切り商品についての同一見切り売価への重複変更を回避でき、かつ見切りワークファイルの小容量化を図れる。
【図面の簡単な説明】
【図１】  本発明の実施形態を示すブロック図である。
【図２】  同じく、単品マスタファイルを説明するための図である。
【図３】  同じく、当日単品売上ファイルを説明するための図である。
【図４】  同じく、売価変更ファイルを説明するための図である。
【図５】  同じく、売価売上実績ファイルを説明するための図である。
【図６】  同じく、見切り売変情報ファイルを説明するための図である。
【図７】  同じく、自動見切りワークファイルを説明するための図である。
【図８】  同じく、手動による売価変更処理動作を説明するためのフローチャートである。
【図９】  同じく、確認後の実行選択による売価変更処理動作を説明するためのフローチャートである。
【図１０】  同じく、売価変更催促出力動作および自動実行選択による売価変更処理動作を説明するためのフローチャート（１）である。
【図１１】  同じく、売価変更催促出力動作および自動実行選択による売価変更処理動作を説明するためのフローチャート（２）である。
【図１２】  従来例を説明するためのブロック図である。
【図１３】  従来例による売価変更動作を説明するためのフローチャートである。
【符号の説明】
１，２  ネットワーク
１０  ＰＯＳターミナル
２０  ＰＯＳコントローラ（上位機）
３０  ストアコントローラ（上位機）
３３Ｍ  単品マスタファイル
３３ＴＵ  当日単品売上ファイル
３３ＢＨ  売価変更ファイル
３３ＵＪ  売価売上実績ファイル
３３ＭＫ  見切り売変情報ファイル
３３ＭＷ  自動見切りワークファイル
４０  端末
５０  電子棚ラベル
【図１】
0003769144.tif 000002
【図２】
0003769144.tif 000003
【図３】
0003769144.tif 000004
【図４】
0003769144.tif 000005
【図５】
0003769144.tif 000006
【図６】
0003769144.tif 000007
【図７】
0003769144.tif 000008
【図８】
0003769144.tif 000009
【図９】
0003769144.tif 000010
【図１０】
0003769144.tif 000011
【図１１】
0003769144.tif 000012
【図１２】
0003769144.tif 000013
【図１３】
0003769144.tif 000014